(57)【要約】【課題】折り畳みと組み立てが簡単であるとともに、折り畳んだ状態でのコンパクト性にすぐれ、さらに、ペットの出入り方向や係留状態など、その場の状況やペットの状態などに応じた多様な使用形態が可能なペット用ボックスを提供する。【解決手段】  底面部１１と、該底面部１１の上方空間部を囲繞する複数の側壁部１２と、各側壁部１２の隣接する側辺同士を連結する連結部材１５とを有し、前記連結部材１５の連結又は解除によって、平面展開及び折畳みが自在なボックス本体１０を構成する。【選択図】  図１
2005333833.tif 000002
【特許請求の範囲】
【請求項１】
底面部と、該底面部の側方を囲繞して底面部の上方空間部を形成する複数の側壁部と、各側壁部の隣接する側辺同士を連結する連結部材とを有し、
前記各連結部材の連結及び／又は解除により形態を変更可能なボックス本体を構成したこと
を特徴とするペット用ボックス。
【請求項２】
前記底面部と側壁部とは、連結部材によって連結されていることを特徴とする請求項１に記載のペット用ボックス。
【請求項３】
前記側辺同士の連結を解除し前記ボックス本体を平面展開した形態において、前記底面部及び前記側壁部と、各側壁部の間を被覆可能な内カバーシートを備え、該内カバーシートを備えた状態で前記ボックス本体の形態を変更可能であることを特徴とする請求項１又は請求項２に記載のペット用ボックス。
【請求項４】
前記ペット用ボックスは、前記内カバーシートを前記ボックス本体に固定可能な固定部を有する構成としたことを特徴とする請求項３に記載のペット用ボックス。
【請求項５】
前記ボックス本体は、ペットを拘束するための係留部材を有し、該係留部材の少なくとも一部を導出させる通し孔を前記内カバーシートに設ける構成としたことを特徴とする請求項３又は請求項４に記載のペット用ボックス。
【請求項６】
前記内カバーシートの通し孔は、前記ボックス本体の側壁部側に位置していることを特徴とする請求項５に記載のペット用ボックス。
【請求項７】
前記連結部材を総て連結し前記ボックス本体を箱状とした形態において、底面部及び／又は側壁部の内側は弾力性を有する部材で構成したことを特徴とする請求項１乃至請求項６のうち、いずれか１に記載のペット用ボックス。
【請求項８】
前記側辺同士の連結を解除し前記ボックス本体を平面展開した形態において、前記底面部と前記側壁部とが可撓性シートを共通ベースにして形成するとともに、各側壁部の間は前記可撓性シートが延設される構成としたことを特徴とする請求項１又は請求項２に記載のペット用ケース。
【発明の詳細な説明】
【技術分野】
【０００１】
本発明は、犬や猫等のペットを収容して、たとえば車両の座席やペット用ケージ内等、使用環境が異なる場所にあわせて適宜形態を変更可能なペット用ボックスに関する。
【背景技術】
【０００２】
犬や猫等のペットを収容するペット用ボックスは、例えば自動車などの車両に乗せる場合において、車内の汚損防止及び安全運転の対策等を目的として種々のものが提供されており、その一例としては、特許文献１に記載のようなペット用ボックスが提供されている。
【０００３】
【特許文献１】特開２００２−２８１８５４
【発明の開示】
【発明が解決しようとする課題】
【０００４】
特許文献１に開示されているペット用ボックスは、折り畳み可能に構成されてはいるが、そのボックス本体を構成する底面及び側壁のうち、側壁は、四方総ての側壁が互いに結合されており、重ねて折り曲げることはできても、平面展開することは不可能である。したがって、特許文献１に開示されているペット用ボックスは、箱状に組立てて使用する以外の使用形態は全くとることができないものとなっている。したがって、特許文献１に記載のペット用ボックスでは、その形態が車載用に限定されていることから、箱状として車両の座席に載置して使用することしかできず、例えば箱状としたペット用ボックスの１面又は２面だけを開放して使用することはできないので、家屋のフロアやケージ内などで使用する場合のように、ペット用ボックスの一部を開放してペットの出入りが自由な形態で使用することはできない。
【０００５】
また、特許文献１のペット用ボックスに収容されたペットが排泄をした場合、その排泄物がペット用ボックスの底面と側壁の隙間等から流れ出てしまい、ペット用ボックスを設置する座席やフロアの汚損を確実に防止することができないなどの問題もある。
【０００６】
本発明は以上のような問題を鑑みてなされたもので、その目的とするところは、たとえば車両の座席やペット用ケージ内等、使用環境が異なる場所にあわせて適宜形態を変更可能かつ容易であるとともに、ペットの出入り方向や係留状態など、その場の状況やペットの状態などに応じた多様な使用形態が可能であり、さらに、折り畳んだ状態でのコンパクト性にすぐれたペット用ボックスを提供することにある。
【課題を解決するための手段】
【０００７】
本発明の解決手段は次の（１）のとおりである。
【０００８】
（１）底面部と、該底面部の側方を囲繞して底面部の上方空間部を形成する複数の側壁部と、各側壁部の隣接する側辺同士を連結する連結部材とを有し、前記各連結部材の連結及び／又は解除により形態を変更可能なボックス本体を構成したことを特徴とするペット用ボックス。ここで、形態とは、ボックス本体の各側壁部の展開及び／又は組立てにより定まるボックス本体の形状をいう。
【０００９】
前記第１の手段（１）においては、さらに次のような手段を備えることが好適又は望ましい。
【００１０】
（２）前記底面部と側壁部とは、連結部材によって連結されていることを特徴とする前記（１）に記載のペット用ボックス。
【００１１】
（３）前記側辺同士の連結を解除し前記ボックス本体を平面展開した形態において、前記底面部及び前記側壁部と、各側壁部の間を被覆可能な内カバーシートを備え、該内カバーシートを備えた状態で前記ボックス本体の形態を変更可能であることを特徴とする前記（１）又は（２）に記載のペット用ボックス。
【００１２】
（４）前記内カバーシートを前記ボックス本体に固定可能な固定部を有する構成としたことを特徴とする前記（３）に記載のペット用ボックス。
【００１３】
（５）前記ボックス本体は、ペットを拘束するための係留部材を有し、該係留部材の少なくとも一部を導出させる通し孔を前記内カバーシートに設ける構成としたことを特徴とする前記（３）又は（４）に記載のペット用ボックス。
【００１４】
（６）前記内カバーシートの通し孔は、前記ボックス本体の側壁部側に位置していることを特徴とする前記（５）に記載のペット用ボックス。
【００１５】
（７）前記連結部材を総て連結し前記ボックス本体を箱状とした形態において、底面部及び／又は側壁部の内側は弾力性を有する部材で構成したことを特徴とする前記（１）乃至（６）のうち、いずれか１に記載のペット用ボックス。
【００１６】
（８）前記側辺同士の連結を解除し前記ボックス本体を平面展開した形態において、前記底面部と前記側壁部とが可撓性シートを共通ベースにして形成するとともに、各側壁部の間は前記可撓性シートが延設される構成としたことを特徴とする前記（１）又は（２）に記載のペット用ケース。
【発明の効果】
【００１７】
本発明によれば、たとえば車両の座席やペット用ケージ内等、使用環境が異なる場所にあわせて適宜形態を変更可能かつ容易であるとともに、ペットの出入り方向や係留状態など、その場の状況やペットの状態などに応じた多様な使用形態が可能であり、さらに、折り畳んだ状態でのコンパクト性にすぐれたペット用ボックスを提供することができる。また、（２）の手段により、底面部と側壁部の連結の組み合わせにより、さらに多様な使用形態が可能となる。また、（３）の手段により、ボックス本体及びペット用ケースの設置部分の汚れを効果的に防止あるいは低減させることができる。また、（４）の手段により、ペットが動いたりしても、内カバーシートが外れたり、あるいはずれたりすることがなく、ボックス本体及びペット用ケースの設置部分の汚れはさらに確実に防止あるいは低減する。また、（５）の手段により、ボックス本体に内カバーシートを取り付けた状態でもって、その内カバーシートの取り付け状態を乱すことなく、ペットの係留・拘束を行うことができる。また、（６）の手段により、通し孔の位置が内カバーシートの最低面部よりも情報に位置することになって、その内カバーシートから抜け毛や餌くずなどの汚染物や排泄物がボックス本体にこぼれ落ちるのを確実に防止することができ、ボックス本体側体及びペット用ケースの設置部分の汚れをさらに確実に防止あるいは低減することができる。また、（７）の手段により、ペットの居住性あるいは居心地を一層向上させることができる。また、（８）の手段により、とくに側壁部間における漏れ防止効果が確実に得られるようになり、これにより、ボックス本体の汚れ防止効果がさらに確実となる。
【発明を実施するための最良の形態】
【００１８】
図１は、本発明によるペット用ボックスの組立状態を示す斜視図、及び、側壁部の一部断面図、図２は、平面展開されたボックス本体と内カバーシートを示す斜視図、図３は、本発明に係るペット用ボックスの使用形態を例示する斜視図、図４は、本発明に係るペット用ボックスを車両内に係留する状態を例示する斜視図、図５は、本発明に係るペット用ボックスの別の使用形態を例示する斜視図、また、図６は、本発明に係るペット用ボックスを折り畳んだ状態を示す斜視図、図７は、第２の実施の形態によるペット用ボックスの展開斜視図である。
【００１９】
図１及び図２に示すように、本発明によるペット用ボックスは、まず、矩形状の底面部１１、側壁部１２、連結部材１５とにより構成される上部開放型のボックス本体１０を有する。
【００２０】
連結部材１５は、たとえばスライドファスナー等であって、各側壁部１２の隣接する側辺同士を連結する。そして、各連結部材１５の連結及び／又は解除により形態が変更可能なボックス本体１０が構成されている。
【００２１】
側壁部１２は、矩形状底面部１１の外周をなす各辺にそれぞれ折り曲げ自在な状態で連接するとともに、その連接部分から折り立てられることにより、矩形底面部１１の上方空間部を側方（四方）から囲繞する。各側壁部１２の隣接する側辺同士はそれぞれ、連結部材１５により着脱自在に連結される。
【００２２】
これにより、平面展開と折畳みが自在であるとともに、複数の使用形態に変更自在なボックス本体１０が形成されている（図１乃至図６参照）。折り畳み状態を係脱自在に固定するための固定具としては、図６に示すように、結束ベルト部材５３が使用されている。この結束ベルト５３は、側壁部１２の縁辺中央に設けた止め具１６で係脱自在に固定することができる。
【００２３】
ボックス本体１０には、ボックス本体１０を車両内に係留するためのベルトが着脱自在に取り付くベルト取付部２２と、ボックス本体１０にペットを拘束するための係留部材２６が設けられている。
【００２４】
また、図４に示すように、ボックス本体１０の側壁部１２には、車両内の座席安全ベルト５１を通して拘束するためのベルト通し部５２が設けられている。
【００２５】
図１の一部断面図に示すように、底面部１１及び側壁部１２は、外側の可撓性シート１２１ａと内側の可撓性シート１２１ｂとからなる可撓性シート１２１を共通ベースにして形成され、この可撓性シート材によって両者の連接部分が折り曲げ自在に形成されている。
【００２６】
すなわち、図１の一部断面図に示すように、側壁部１２は、基材１２３を外側の可撓性シート１２１ａと内側の可撓性シート１２１ｂによって被覆しており、底面部１１も同様の構成である。さらに、側壁部１２は、基材１２３と内側の可撓性シート１２１ｂとの間に弾力性を有する部材１２２が介装されており、これにより、連結部材１５を総て連結してボックス本体１０を箱状とした形態において、側壁部１２の内側は弾力性を有する部材１２２で構成されることになり、ペットに対する衝撃を吸収することができる。なお、可撓性シート材は、織布、不織布、紙材、合成樹脂、合成繊維等の材料を適宜選択可能である。
【００２７】
図２に示すように、側壁部１２の側辺同士の連結を解除し、ボックス本体１０を平面展開した形態において、略十字型の外側の可撓性シート１２１ａ及び内側の可撓性シート１２１ｂがそれぞれ、底面部１１の基材（符号なし）及び側壁部１２の基材１２３とを一体的に被覆しており、底面部１１及び側壁部１２は、可撓性シート１２１を共通ベースにして構成されている。
【００２８】
可撓性シート１２１は、底面部１１と側壁部１２に跨る境界部分にて、底面部１１と側壁部１２とを連結させる連結部材を形成する。
【００２９】
なお、図２に示すように、底面部１１と側壁部１２の連結部近傍は弾力性を有する部材１２３を設けない構成としてもよい。かかる構成とすることによって、側壁部１２の立設又は底面部１１側に折り畳むことを容易に行うことが可能となる。また、側壁部１２の基材１２３及び底面部１１の基材（符号なし）は、所定の剛性を有するものであれば、合成樹脂、紙材、木材及び金属等の種々の素材を選択可能であり、弾力性を有する部材１２２としては、ウレタン樹脂等を適宜選択できる。
【００３０】
連結部材１５は、側壁部１２の側辺に沿って設けられている。これにより、各側壁部１２の隣接する側辺同士が着脱自在に連結されてボックス本体１０の平面展開と折畳み並びに種々の使用形態を実現できるようになっている。なお、本実施の形態においては、連結部材１５はスライドファスナーで構成しているが、本発明はこれに限定されるものではなく、ホックのようなものであってもよい。また、底面部１１と側壁部１２とは、共通ベースとなっている可撓性シート１２１が連結部材となる構成であるが、底面部１１及び各側壁部１２をそれぞれ可撓性シート１２１で被覆して完全に別体とし、連結部材１５のようなスライドファスナー、ホックのようなものを底面部１１及び各側壁部１２の側辺に沿って設けて互いに連結する構成とすることも可能である。
【００３１】
ベルト取付部２２は、ボックス本体１０の矩形開口の４隅又はその付近に配設されている。すなわち、開口縁部付近の複数個所に配設されている。ベルト取付部２２は、フレキシブルなタブ２２２を介して揺動自在に取り付けられた止め輪２２１により形成されている。
【００３２】
係留部材２６は、底面部１１の外周辺付近に複数配設されている。係留部材２６も、フレキシブルなタブ２６２を介して揺動自在に取り付けられた止め輪２６１により形成されている。
【００３３】
ボックス本体１０の少なくとも内側の可撓性シート１２１ｂは防水性を有するように構成されている。これによって、ボックス本体１０の内部の清掃性を高めて衛生環境を良好にすることができる。また、ボックス本体１０の少なくとも１面の外側壁部には収納ポケット１８が取り付けられている。
【００３４】
図１に示すように、ボックス本体１０は、底面部１１に取り外し自在に装着可能なクッション部材４０を備える。
【００３５】
クッション部材４０の少なくとも表面には吸水材４１が配設されている。吸水材４１はクッション部材４０の表面に取り外し自在に取り付けられるシート状に形成されており、吸水材固定具４２によりクッション部材４０に固定される。クッション部材４０をボックス本体１０とともに使用することによって、底面部１１側にもクッション性が確保されるので、ペットの居住性をさらに向上させることができるとともに、吸水材４１によって排泄物によるボックス本体の汚染を効果的に防止あるいは低減させることができる。
【００３６】
さらに、図２に示すように、ボックス本体１０は内カバーシート３０を備える。内カバーシート３０は全体が略八角形状でなり、平面展開された底面部１１及び側壁部１２と、平面展開された各側壁部１２の間に形成される三角状開口部１２５とに覆い被さるようになっている。なお、本実施の形態では、ボックス本体１０が略直方体の形状で組立て可能であり、ボックス本体１０を展開した場合、十字型に配された底面部１１及び側壁部１２と、各側壁部１２の間に形成される三角状開口部１２５とを覆うためには、内カバーシート３０の形状を略八角形とするのが好適であるので前記形状としているものであるが、内カバーシート３０の形状は八角形に限れられず、円形であってもよく、適宜形状を採用することができる。
【００３７】
内カバーシート３０をボックス本体１０の内側に固定するために、ボックス本体１０の内側と内カバーシート３０には、たとえばホックやベルベット式ファスナーなどの固定部材３１が互いに位置対応して配設されている。なお、固定部材３１については、ボックス本体１０側に図１に記載の吸水材固定具４２のような構成のものを設け、内カバーシート３０には固定部材を設けない構成としてもよい。
【００３８】
したがって、内カバーシート３０は、側壁部１２の側辺同士の連結を解除し、ボックス本体１０を平面展開した形態において、底面部１１及び側壁部１２と、各側壁部１２の間を被覆可能であり、ボックス本体１０は、内カバーシート３０を備えた状態で形態を変更することが可能である。
【００３９】
図３に示すように、内カバーシート３０は、側壁部１２が立ち上げられてボックス本体１０が組み立てられたときに、三角状開口部１２５に覆い被さる部分が三角状のマチ３２を形成する。内カバーシート３０には、係留部材２６の少なくとも一部を導出させる通し孔３３が設けられている。各通し孔３３は側壁部１２側に位置している。なお、内カバーシート３０は、表面部は、ペット自体、ペットの抜け毛及び排泄物等が直に触れる可能性を考慮し、撥水性、耐候性、耐水性等を有するポリエステルや、その他の合成樹脂素材が好適であり、裏面部は、ボックス本体１０の底面部１１に直に触れることから、対候性、耐水性、耐熱性、耐電圧性を有するポリ塩化ビニルや、その他の合成樹脂素材によってコーティングされる事が好適である。
【００４０】
次に、図７を参照して第２の実施の形態について説明する。なお、図１及び図２と実質的に同一の機能及び同一の構成を有するものについては同じ符号を付して説明し、同一の部分についてはその説明を省略する。
【００４１】
底面部１１と側壁部１２の共通ベースとなっている可撓性シート１２１を、各側壁部１２の間に形成される三角状開口部１２５にも膜状に延設させることによって三角巾部１２４が構成されている。三角巾部１２４は、可撓性シート１２１をなす外側の可撓性シート１２１ａ及び内側の可撓性シート１２１ｂの両方を延設して形成してもよいし、いずれか一方のみを延設して形成してもよい。
【００４２】
また、三角巾部１２４は、別体の可撓性シートにより構成し、各側壁部１２の隣接する側辺同士に結合させるようにして膜状に形成してもよい。
【００４３】
このように各側壁部１２の間に形成される三角状開口部１２５に三角巾部１２４を設けることによって、各側壁部１２を立設させてボックス本体１０を箱状にした場合に、三角巾部１２４が、連結部材１５で連結した側壁部１２の連結部分からペットの排泄物等が漏れ出すことを防止できる。
【００４４】
以上のように、本発明に係るペット用ボックスは、底面部１１と、この底面部１１の上方空間部を囲繞する複数の側壁部１２と、各側壁部１２の隣接する側辺同士を連結する連結部材１５とを有し、この連結部材１５の連結又は解除によって、平面展開及び折畳みが自在なボックス本体を構成したことにより、折り畳みと組み立てが簡単であるとともに、折り畳んだ状態でのコンパクト性にすぐれるという利点が得られる。
【００４５】
さらに、前述したペット用ボックスは、使用形態に応じて側壁部の組み立てを種々変更可能であって、図３の（ａ）と（ｂ）、図４、及び図５にそれぞれ示すように、ペットの出入り方向や係留状態など、その場の状況やペットの状態などに応じた臨機応変な使い方ができる。たとえば、ペットを係留する場合には、図３の（ａ）に示すようにボックス本体１０の一面だけ開放した使用状態、図３の（ｂ）に示すように２面を開放した使用状態を適宜設定することができる。
【００４６】
一方、ペットを車両に乗せる際には、図４に示すように、両端にナス環（カラビナ）２３を有する係留用ベルト２１を使用し、このベルト２１をヘッドレスト等に回し、その両端のナス環２３をベルト取付部２２に着脱自在に係止させることにより、ペットを収容したボックス本体１０を車両内の所定位置に簡単かつ確実に係留させることができる。
【００４７】
また、図５に示すように、ボックス本体１０の両側にそれぞれ係留用ベルト２１の両端を連結して環状とすることにより、例えば、自動車の後部座席にボックス本体１０を載置すると共に、一方の環状の係留用ベルト２１を前部座席のヘッドレストに係止し、他方の環状の係留用ベルト２１を後部座席のヘッドレストに係止することによって、ボックス本体１０が左右方向に開放される形態とするようにして使用することが可能となる。
【００４８】
ボックス本体１０の開口縁部付近の複数個所には、ボックス本体１０を所定の位置に固定するためのベルトが着脱自在に取り付くベルト取付部２２が設けられているが、これらのベルト取付部部２２は、ペットをボックス本体１０に収容して持ち運ぶためのベルトを着脱自在に係止させる際にも利用できる。
【００４９】
内カバーシート３０は、ボックス本体１０をペットの餌や排泄物等による汚れから保護するのに有効である。内カバーシート３０の通し孔３３をボックス本体１０の側壁部１２側に位置させることにより、その通し孔３３から汚物等が漏れることを阻止できる。このためには、内カバーシート３０を防水性のものにすることが望ましい。
【００５０】
また、ボックス本体１０の底面部に取り外し自在に装着可能なクッション部材４０を装着することにより、ペットの快適性を高めるととともに、本体ボックス１０に汚物等が入り込むのを阻止あるいは低減させることができる。
【００５１】
ボックス本体１０の汚損を防止あるいは軽減させるためには、ボックス本体１０の少なくともボックス内側面を防水性することが好適である。さらに、クッション部材４０の少なくとも表面に吸水材を配設することにより、ボックス本体１０の汚損をさらに確実に防止あるいは軽減させることができる。
【００５２】
以上、本発明をその代表的な実施例に基づいて説明したが、本発明は上述した以外にも種々の態様が可能である。たとえば、前記底面部１１は矩形以外の形状であってもよく、ホックス本体は多面体であればよい。
【産業上の利用可能性】
【００５３】
折り畳みと組み立てが簡単であるとともに、折り畳んだ状態でのコンパクト性にすぐれ、さらに、ペットの出入り方向や係留状態など、その場の状況やペットの状態などに応じた多様な使用形態が可能なペット用ボックスを提供することができる。
【図面の簡単な説明】
【００５４】
【図１】本発明によるペット用ボックスの組立状態を示す斜視図、及び、側壁部の一部断面図である。
【図２】平面展開されたボックス本体と内カバーシートを示す斜視図である。
【図３】本発明に係るペット用ボックスの使用形態を例示する斜視図である。
【図４】本発明に係るペット用ボックスを車両内に係留する状態を例示する斜視図である。
【図５】本発明に係るペット用ボックスの別の使用形態を例示する斜視図である。
【図６】本発明に係るペット用ボックスを折り畳んだ状態を示す斜視図である。
【図７】第２の実施の形態によるペット用ボックスの展開斜視図である。
【符号の説明】
【００５５】
１０  ボックス本体
１１  底面部
１２  側壁部
１２１  可撓性シート
１２１ａ  外側の可撓性シート
１２１ｂ  内側の可撓性シート
１２２  弾力性を有する部材
１２３  基材
１２４  三角巾部
１２５  三角状開口部
１５  連結部材（スライドファスナー）
１６  止め具
１８  収納ポケット
２１  車両係留用のベルト
２２  ベルト取付部
２２１  止め輪
２２２  タブ
２３  ナス環（カラビナ）
２６  係留部材
２６１  止め輪
２６２  タブ
３０  内カバーシート
３１  シート固定部材
３２  三角状のマチ
３３  通し孔
４０  クッション部材
４１  吸水材
４２  吸水材固定具
５１  安全ベルト
５２  ベルト通し部
５３  結束ベルト部材
【図１】
2005333833.tif 000003
【図２】
2005333833.tif 000004
【図３】
2005333833.tif 000005
【図４】
2005333833.tif 000006
【図５】
2005333833.tif 000007
【図６】
2005333833.tif 000008
【図７】
2005333833.tif 000009